(57)【要約】      （修正有）【課題】配信サーバへのアクセスの集中を回避し、ユーザのＱｏＥを損なうことを回避する配信ネットワークシステムを提供する。【解決手段】モバイルネットワーク上に２台以上のサーバ（キャッシュサーバ又はプロキシサーバ）を備える。各サーバは、配信サーバが保有するコンテンツの少なくとも一部に対し、コンテンツの複製を一時的に蓄積する蓄積部１１３と、蓄積部が蓄積するコンテンツのリストを作成するコンテンツリスト作成部１１８と、自サーバの蓄積するコンテンツリストと、自サーバ以外のサーバが蓄積するコンテンツリストを収集する収集部１１６とを有す。収集部で収集されたコンテンツリストを用い、端末から要求されたコンテンツを有するサーバを判別する判別部１１７と、判別されたサーバから端末から要求されたコンテンツのファイル又はストリームをサーバ間の連携を考慮して読み出す確保部１１２とを有する。【選択図】図２
2013048327.tif 000002
【特許請求の範囲】
【請求項１】
モバイルネットワーク上に複数のサーバを備え、
前記サーバは、
キャッシュサーバ又はプロキシサーバとして機能し、
インターネット上でコンテンツを配信する配信サーバが保有するコンテンツの少なくとも一部に対して、前記コンテンツの複製を一時的に蓄積する蓄積部と、
前記蓄積部が蓄積するコンテンツのリストを作成するコンテンツリスト作成部と、
前記コンテンツリスト作成部で作成された、自サーバの前記蓄積部が蓄積する前記コンテンツリストと、前記複数のサーバのうちの自サーバ以外のサーバが蓄積するコンテンツリストと、を収集する収集部と、
端末から前記モバイルネットワークを介して送信されたコンテンツ要求メッセージに含まれる情報と、前記収集部で収集されたコンテンツリストとを用いて、前記端末から要求されたコンテンツを前記蓄積部に有するサーバを判別する判別部と、
前記判別部で判別されたサーバから、前記端末から要求されたコンテンツのファイル又はストリームを、サーバ間の連携により自サーバに読み出す確保部と、
前記読み出したファイル又はストリームを予め定められたプロトコルにより出力する配信部と、
を備えた、ことを特徴とする配信ネットワークシステム。
【請求項２】
前記判別の結果、前記端末から要求されたコンテンツを前記蓄積部に蓄積するサーバが、自サーバである場合には、前記判別部は、前記蓄積部と、前記配信部に対して、読み出し・配信指示を出し、
前記端末から要求されたコンテンツを他のサーバが蓄積する場合には、前記判別部は、前記確保部に対して、前記端末から要求されたコンテンツのＵＲＬ（Ｕｎｉｆｏｒｍ  Ｒｅｓｏｕｒｃｅ  Ｌｏｃａｔｏｒ）と、前記他のサーバのＩＰアドレスを伝え、前記他のサーバから、コンテンツを確保するように指示を出し、前記確保部は、前記他のサーバから確保した前記要求されたコンテンツの複製を前記蓄積部に蓄積し、
前記自サーバと他のサーバのいずれも、前記端末から要求されたコンテンツを蓄積していない場合には、前記判別部は、前記確保部に対して、前記端末から要求されたコンテンツのＵＲＬと、前記配信サーバのＩＰアドレスを伝え、前記配信サーバからコンテンツを確保するように指示を出し、前記確保部は、前記配信サーバから確保した、前記要求されたコンテンツの複製を前記蓄積部に蓄積する、ことを特徴とする請求項１記載の配信ネットワークシステム。
【請求項３】
前記コンテンツは、動画、静止画、音声、オーディオ、ソフトウェア、アプリケーション、データの少なくとも１つを含む、ことを特徴とする請求項１又は２記載の配信ネットワークシステム。
【請求項４】
前記サーバは、
サービングＧＰＲＳ（Ｇｅｎｅｒａｌ  Ｐａｃｋｅｔ  Ｒａｄｉｏ  Ｓｅｒｖｉｃｅ）サポートノード（ＳＧＳＮ）、
ゲートウエイＧＰＲＳサポートノード（ＧＧＳＮ）、
サービングＧＰＲＳサポートノード（ＳＧＳＮ）とゲートウエイＧＰＲＳサポートノード（ＧＧＳＮ）を１つに統合したノード、
サービングゲートウエイ（Ｓ−ＧＷ）、
パケットデータネットワークゲートウエイ（Ｐ−ＧＷ）、
サービングゲートウエイ（Ｓ−ＧＷ）とパケットデータネットワークゲートウエイ（Ｐ−ＧＷ）を１つに統合したノード、
前記配信サーバ、
のいずれかに接続される、請求項１乃至３のいずれか１項に記載の配信ネットワークシステム。
【請求項５】
モバイルネットワークに接続されるネットワークノードにそれぞれ接続され、キャッシュサーバ又はプロキシサーバとして機能するサーバであって、
インターネット上でコンテンツを配信する配信サーバが保有するコンテンツの少なくとも一部に関して、前記コンテンツの複製を一時的に蓄積する蓄積部と、
前記蓄積部が蓄積するコンテンツのリストを作成するコンテンツリスト作成部と、
自サーバで蓄積するコンテンツリストと、自サーバ以外のサーバが蓄積するコンテンツリストを収集する収集部と、
端末からのコンテンツ要求メッセージに含まれる情報と、前記収集部で収集されたコンテンツリストを用い、前記端末から要求されたコンテンツを有するサーバを判別する判別部と、
前記判別されたサーバから、前記端末から要求されたコンテンツのファイル又はストリームを、サーバ間の連携により読み出す確保部と、
前記読み出したファイル又はストリームを予め定められたプロトコルにより出力する配信部と、
を備えた、ことを特徴とするサーバ。
【請求項６】
前記判別の結果、前記端末から要求されたコンテンツを前記蓄積部に蓄積するサーバが、自サーバである場合には、前記判別部は、前記蓄積部と、前記配信部に対して、読み出し・配信指示を出し、
前記端末から要求されたコンテンツを他のサーバが蓄積する場合には、前記判別部は、前記確保部に対して、前記端末から要求されたコンテンツのＵＲＬ（Ｕｎｉｆｏｒｍ  Ｒｅｓｏｕｒｃｅ  Ｌｏｃａｔｏｒ）と、前記他のサーバのＩＰアドレスを伝え、前記他のサーバから、コンテンツを確保するように指示を出し、前記確保部は、前記他のサーバから確保した前記要求されたコンテンツの複製を前記蓄積部に蓄積し、
前記自サーバと他のサーバのいずれも、前記端末から要求されたコンテンツを蓄積していない場合には、前記判別部は、前記確保部に対して、前記端末から要求されたコンテンツのＵＲＬと、前記配信サーバのＩＰアドレスを伝え、前記配信サーバからコンテンツを確保するように指示を出し、前記確保部は、前記配信サーバから確保した、前記要求されたコンテンツの複製を前記蓄積部に蓄積する、ことを特徴とする請求項５記載のサーバ。
【請求項７】
前記コンテンツは、動画、静止画、音声、オーディオ、ソフトウェア、アプリケーション、データの少なくとも１つを含む、ことを特徴とする請求項５又は６記載のサーバ。
【請求項８】
前記ネットワークノードは、
サービングＧＰＲＳ（Ｇｅｎｅｒａｌ  Ｐａｃｋｅｔ  Ｒａｄｉｏ  Ｓｅｒｖｉｃｅ）サポートノード（ＳＧＳＮ）、
ゲートウエイＧＰＲＳサポートノード（ＧＧＳＮ）、
サービングＧＰＲＳサポートノード（ＳＧＳＮ）とゲートウエイＧＰＲＳサポートノード（ＧＧＳＮ）を１つに統合したノード、
サービングゲートウエイ（Ｓ−ＧＷ）、
パケットデータネットワークゲートウエイ（Ｐ−ＧＷ）、
サービングゲートウエイ（Ｓ−ＧＷ）とパケットデータネットワークゲートウエイ（Ｐ−ＧＷ）を１つに統合したノード、
前記配信サーバ
のいずれかを含む、ことを特徴とする請求項５乃至７のいずれか１項に記載のサーバ。
【請求項９】
モバイルネットワーク上に複数台以上設けられ、キャッシュサーバ又はプロキシサーバとして機能するサーバにより、
インターネット上でコンテンツを配信する配信サーバが保有するコンテンツの少なくとも一部に関して、前記コンテンツの複製を蓄積部に一時的に蓄積し、
自サーバで蓄積するコンテンツのリストを作成し、
前記自サーバのコンテンツリストと、前記複数のサーバのうち自サーバ以外のサーバで蓄積するコンテンツリストを収集し、
端末から送信されたコンテンツ要求メッセージに含まれる情報と、前記コンテンツリストを用いて、要求されたコンテンツを有するサーバを判別し、
前記判別されたサーバから、前記端末から要求されたコンテンツのファイル又はストリームをサーバ間の連携により読み出し、
前記読み出したファイル又はストリームを予め定められたプロトコルにより出力して配信する、ことを特徴とする配信方法。
【請求項１０】
前記コンテンツは、動画、静止画、音声、オーディオ、ソフトウェア、アプリケーション、データの少なくとも１つを含む、ことを特徴とする請求項９記載の配信方法。
【発明の詳細な説明】
【技術分野】
【０００１】
本発明は、配信サーバからコンテンツを配信する技術に関し、特に配信ネットワークとサーバ及び配信方法に関する。
【背景技術】
【０００２】
モバイルネットワークは、ＬＴＥ（Ｌｏｎｇ  Ｔｅｒｍ  Ｅｖｏｌｕｔｉｏｎ）やＥＰＣ（Ｅｖｏｌｖｅｄ  Ｐａｃｋｅｔ  Ｃｏｒｅ）技術などにより、高速・大容量化されていく予定であり、この進展に伴い、今後、コンテンツを、前記ネットワークをとおして、携帯端末を含む種々の端末に配信するコンテンツ配信が普及すると予想される。
【０００３】
特許文献１には、移動ノードによって要求されたキャッシュ可能なストリーミング・コンテンツの管理方法として、第１サブネット内に位置する移動ノードの要求に応じて、キャッシング・プロキシを用いて、ストリーミング・コンテンツを供給するステップと、前記キャッシング・プロキシによって供給された前記ストリーミング・コンテンツをキャッシュするステップと、前記移動ノードが第２サブネットに移動した場合、前記キャッシング・プロキシとは異なる他のキャッシング・プロキシに前記要求をハンドオフするステップと、前記キャッシング・プロキシを用いた前記ストリーミング・コンテンツのキャッシングを中断するステップと、前記キャッシング・プロキシにキャッシュされた前記ストリーミング・コンテンツの断片を、単一のサイズにするために、定量化するステップとを備えることを特徴とするキャッシュ可能なストリーミング・コンテンツの管理方法が開示されている（後述されるように、本発明とは課題、構成が全く相違している）。
【先行技術文献】
【特許文献】
【０００４】
【特許文献１】特開２００３−２８９３２７号公報
【発明の概要】
【発明が解決しようとする課題】
【０００５】
以下に、本発明によって与えられる分析を示す。
【０００６】
今後、モバイルネットワークにおいて、２０１３年にかけデータ系のトラヒック量が現状の８倍から１０倍以上に増大しその中の大部分を映像コンテンツが占めるという予測がある。加えて映像コンテンツのサイズも、スマートフォンの急速な普及にともなう端末能力の高性能化により、ますます大容量化しており、近い将来モバイルネットワークでハイビジョン解像度による大容量のコンテンツが配信されることも予想される。
【０００７】
一方、モバイルネットワークでコンテンツ配信を行う場合に、インターネット上のコンテンツの配信を行うための従来の構成では、全ての端末からのコンテンツ要求は、パケット転送装置を介してインターネット網の配信サーバに伝えられ、配信サーバは全ての端末に対し、パケット転送装置を介して、コンテンツを配信していた。
【０００８】
しかしながら、このような関連技術では以下の問題がある。
【０００９】
インターネット上の人気コンテンツなどにより、インターネット上の配信サーバにアクセスが集中すると、ネットワークのトラヒックが集中化するためネットワークが輻輳状態になる恐れがあるという問題がある。
【００１０】
また、ネットワークが輻輳状態になると、端末で映像などを再生するまでの遅延が長くなったり、端末再生している映像が停止してしまったり、パケットロスが多発して画像がおおきく乱れることなどで、ユーザのＱｏＥ（Ｑｕａｌｉｔｙ  ｏｆ  Ｅｘｐｅｒｉｅｎｃｅ）を損なうという問題がある。
【００１１】
本発明の目的は、端末を改造することなしに、前述の問題点を解決する配信ネットワークシステム、サーバ、配信方法を提供することにある。
【課題を解決するための手段】
【００１２】
本発明の１つの側面によれば、モバイルネットワーク上に２台以上のキャッシュサーバ又はプロキシサーバが配置され、インターネット上でコンテンツを配信する配信サーバが保有するコンテンツの少なくとも一部に対し、前記コンテンツの複製を一時的に蓄積する蓄積部と、前記蓄積部が蓄積するコンテンツのリストを作成出力するコンテンツリスト作成部と、自身が蓄積するコンテンツリスト、ならびに自身以外のキャッシュサーバ又はプロキシサーバが蓄積するコンテンツリストを収集する収集部と、前記端末からのコンテンツ要求メッセージに含まれる情報と、前記収集部の出力信号を用い要求されたコンテンツを有するキャッシュサーバ又はプロキシサーバを判別する判別部と、前記判別されたキャッシュサーバ又はプロキシサーバから、要求されたコンテンツのファイル又はストリームをキャッシュサーバ間の連携又はプロキシサーバ間の連携を考慮して読み出す確保部と、前記読み出したファイル又はストリームを、予め定められたプロトコルにより出力する配信部と、をキャッシュサーバ又はプロキシサーバに有する、ことを特徴とする配信ネットワークシステムが提供される。
【００１３】
本発明の別の側面によれば、モバイルネットワークに接続されるネットワークノードにそれぞれ接続され、キャッシュサーバ又はプロキシサーバとして機能するサーバであって、インターネット上でコンテンツを配信する配信サーバが保有するコンテンツの少なくとも一部に対し、前記コンテンツの複製を一時的に蓄積する蓄積部と、前記蓄積部が蓄積するコンテンツのリストを作成するコンテンツリスト作成部と、自サーバで蓄積するコンテンツリストと、自サーバ以外のサーバが蓄積するコンテンツリストを収集する収集部と、端末からのコンテンツ要求メッセージに含まれる情報と、前記収集部で収集されたコンテンツリストを用い、前記端末から要求されたコンテンツを有するサーバを判別する判別部と、前記判別されたサーバから、前記端末から要求されたコンテンツのファイル又はストリームを、サーバ間の連携により読み出す確保部と、前記読み出したファイル又はストリームを予め定められたプロトコルにより出力する配信部と、を備えたサーバが提供される。
【００１４】
本発明のさらに別の側面によれば、モバイルネットワーク上に複数台以上設けられ、キャッシュサーバ又はプロキシサーバとして機能するサーバにより、
インターネット上でコンテンツを配信する配信サーバが保有するコンテンツの少なくとも一部に対し、前記コンテンツの複製を蓄積部に一時的に蓄積し、
前記蓄積するコンテンツのリストを作成し、
自サーバで蓄積するコンテンツリストと、前記複数のサーバのうち自サーバ以外のサーバで蓄積するコンテンツリストを収集し、
端末からのコンテンツ要求メッセージに含まれる情報と、前記コンテンツリストを用い要求されたコンテンツを有するサーバを判別し、
前記判別されたサーバから、要求されたコンテンツのファイル又はストリームを、サーバ間の連携により読み出し、
前記読み出したファイル又はストリームを、予め定められたプロトコルにより出力して配信する配信方法が提供される。
【発明の効果】
【００１５】
本発明によれば、インターネット上の配信サーバにアクセスが集中によるネットワークが輻輳状態の発生、ＱｏＥの低下を回避可能としている。
【図面の簡単な説明】
【００１６】
【図１】本発明の第１の実施形態の接続構成を示す図である。
【図２】第１の実施形態におけるキャッシュサーバの構成例を示す図である。
【図３】第１の実施の形態の変形例を示す図である。
【図４】本発明の第２の実施形態の接続構成を示す図である。
【図５】第２の実施形態の変形例を示す図である。
【発明を実施するための形態】
【００１７】
本発明によれば、配信ネットワークは、動画、静止画、オーディオ、ソフトウェア、アプリケーションなどを含むコンテンツをモバイルネットワークでキャッシュした上で、種々の端末（例えば、携帯電話、スマートフォン、ＰＣ、ゲーム機など）に配信する。
【００１８】
本発明のいくつかの好ましい形態の１つによれば、モバイルネットワーク上に２台以上のサーバを備え、前記サーバは、キャッシュサーバ又はプロキシサーバとして機能し、インターネット上でコンテンツを配信する配信サーバが保有するコンテンツの少なくとも一部に対し、前記コンテンツの複製を一時的に蓄積する蓄積部（１１３）と、前記蓄積部が蓄積するコンテンツのリストを作成するコンテンツリスト作成部（１１８）と、自サーバの前記蓄積部が蓄積する前記コンテンツリストと、自サーバ以外のサーバが蓄積するコンテンツリストと、を収集する収集部（１１６）と、端末からのコンテンツ要求メッセージに含まれる情報と、前記収集部で収集されたコンテンツリストとを用い、前記端末から要求されたコンテンツを有するサーバを判別する判別部（１１７）と、前記判別されたサーバから、前記端末から要求されたコンテンツのファイル又はストリームを、サーバ間の連携を考慮して読み出す確保部（１１２）と、前記読み出したファイル又はストリームを予め定められたプロトコルにより出力する配信部（１１４）とを備えている。
【００１９】
別の好ましい形態の方法によれば、モバイルネットワーク上に複数台以上設けられ、キャッシュサーバ又はプロキシサーバとして機能するサーバにより、以下のステップが実行される。インターネット上でコンテンツを配信する配信サーバが保有するコンテンツの少なくとも一部に対して前記コンテンツの複製を蓄積部に一時的に蓄積し（ステップ１）、
前記蓄積するコンテンツのリストを作成し（ステップ２）、
自サーバで蓄積するコンテンツリストと、前記複数のサーバのうち自サーバ以外のサーバで蓄積するコンテンツリストを収集し（ステップ３）、
端末からのコンテンツ要求メッセージに含まれる情報と、前記コンテンツリストを用い要求されたコンテンツを有するサーバを判別し（ステップ４）、
前記判別されたサーバから、要求されたコンテンツのファイル又はストリームを、サーバ間の連携により読み出し（ステップ５）、
前記読み出したファイル又はストリームを、予め定められたプロトコルにより出力して配信する（ステップ６）。
【００２０】
図１乃至図４を参照して、本発明の実施の形態について詳細に説明する。なお、以下の実施形態では、コンテンツの例として、動画像の構成例に即して説明するが、静止画、オーディオ、音声、ソフトウェア、アプリケーション、データ等の場合も、同様な構成を用いることができる。
【００２１】
＜実施形態１＞
図１は、本発明の第１の実施形態の配信ネットワークの構成を示す図である。こ第１の実施形態では、モバイルネットワークとしては３Ｇモバイルパケットネットワークを用い、パケット転送装置として、ｘＧＳＮ装置を用いる場合の構成を示している。なお、ｘＧＳＮ(serving/gateway General packet radio support node)は、サービングＧＰＲＳサポートノード（SGSN: Serving GPRS(General Packet Radio Service) Support Node）とゲートウエイＧＰＲＳサポートノード（GGSN: Gateway GPRS Support Node)の機能を統合したノードである。また、図１ではキャッシュサーバを用いる構成を示している。図１において、インターネット網１４５上の配信サーバ１２１は、インターネット上の種々のコンテンツを蓄積している。以降の説明ではこれらのコンテンツを「ＯＴＴ（Over The Top）コンテンツ」と呼ぶこととする。コンテンツとしては、動画像、静止画、オーディオ、音声などのうちの少なくとも１種を含むコンテンツの圧縮符号化ビットストリーム又は前記圧縮符号化ビットストリームを格納したファイルとするが、Ｗｅｂ画面やソフトウェアやアプリケーション、データなどでもよい。また、端末としては携帯端末を用いることとするが、他の端末を用いることも出来る。
【００２２】
モバイルネットワーク１５０上にＮ台（Ｎ≧２）のｘＧＳＮ装置１９０＿１〜１９０＿Ｎが配備されている。ｘＧＳＮ装置１９０＿１には、ＲＮＣ（Radio Network Controller:）装置（無線基地局制御装置）１９５＿１〜１９５＿Ｌ（Ｌ≧２）が接続され、ｘＧＳＮ装置１９０＿Ｎには、ＲＮＣ装置１９７＿１〜１９７＿Ｌが接続されている。同様に、ｘＧＳＮ装置１９０＿２にも、ＲＮＣ装置がＬ台接続されている。ただし、図１では、単に、図面作成上の都合で、ｘＧＳＮ装置１９０＿２に接続するＬ台のＲＮＣ装置は省略されている。
【００２３】
さらに、ＲＮＣ装置１台当たり、Ｍ台（Ｍ≧２）の基地局が接続されている。例えば、ＲＮＣ装置１９５＿１には、Ｍ台の基地局装置１８０＿１〜１８０＿Ｍが接続され、ＲＮＣ装置１９５＿Ｌには、Ｍ台の基地局装置１８１＿１〜１８１＿Ｍが接続されている。またＲＮＣ装置１９７＿１には、Ｍ台の基地局装置１８２＿１〜１８２＿Ｍが接続され、ＲＮＣ装置１９７＿Ｌには、Ｍ台の基地局装置１８３＿１〜１８３＿Ｍが接続されている。
【００２４】
各ｘＧＳＮ装置のＧＧＳＮ機能部に１台のキャッシュサーバが接続されている。例えば、ｘＧＳＮ装置１９０＿１には、キャッシュサーバ１１０＿１が接続されている。ここで、ｘＧＳＮ装置はＳＧＳＮ機能部とＧＧＳＮ機能部とが同一場所に設置された装置構成である。
【００２５】
携帯端末１７０は、要求するコンテンツのＵＲＬ（Uniform Resource Locator）を記載して配信の接続要求メッセージを発すると、在圏している基地局（図１の場合、１８１＿１〜１８１＿Ｍのいずれか）が、前記接続要求メッセージを受信し、当該基地局を管理しているＲＮＣ装置（図１の場合、１９５＿Ｌ）に前記接続要求メッセージが送られる。
【００２６】
ＲＮＣ装置１９５−Ｌは、前記接続要求メッセージを前記基地局から受信し、ＧＴＰ（General Packet Radio Service (GPRS) Tunneling Protocol）パケットのペイロード部分に、前記接続要求メッセージと、前記配信サーバのＩＰ（Internet Protocol）アドレス、携帯端末１７０のＩＰアドレス等を格納し、ＲＮＣ装置１９５＿１〜１９５＿ＬをとりまとめているｘＧＳＮ装置１９０＿１に対しＧＴＰパケットを転送する。
【００２７】
次に、ｘＧＳＮ装置１９０＿１は、前記ＧＴＰパケットを受信する。
【００２８】
キャッシュサーバ１１０＿１は、例えばｘＧＳＮ装置１９０＿１のＧＧＳＮ機能部のＧｉインタフェースに接続され、キャッシュサーバ１１０＿ＮはｘＧＳＮ装置１９０＿ＮのＧＧＳＮ機能部のＧｉインタフェースに接続されている。またキャッシュサーバ同士は、コンテンツの連携ができるように、互いに接続されている。
【００２９】
キャッシュサーバの代表的な構成として、図２に、ｘＧＳＮ装置１９０＿１に接続されたキャッシュサーバ１１０＿１の構成を示す。他のキャッシュサーバ１１０＿２〜１１０＿Ｎは、キャッシュサーバ１１０＿１と同一の構成であることから、１１０＿１で代表して説明し、他のキャッシュサーバ１１０＿２〜１１０＿Ｎの説明は省略する。
【００３０】
図２において、制御信号送受信部１１１は、
携帯端末１７０からの接続要求メッセージと、
携帯端末１７０の受信ＩＰアドレスと、
要求コンテンツのＵＲＬ等を格納したＧＴＰパケットと、
をｘＧＳＮ装置１９０＿１から受信する。
【００３１】
またｘＧＳＮ装置から携帯端末１７０の在圏情報を受信する。
【００３２】
解析部１１５は、受信した前記ＧＴＰパケットに対し、当該パケットのペイロード部分に格納された接続要求メッセージの内容を読み出し、携帯端末１７０の受信ＩＰアドレスと、要求されたコンテンツのＵＲＬ等の情報を抽出し、
要求されたコンテンツのＵＲＬや携帯端末１７０の受信ＩＰアドレス等を、配信部１１４と判別部１１７に出力する。
【００３３】
収集部１１６は、自装置（自キャッシュサーバ）が蓄積するコンテンツのコンテンツリストと、自装置以外のキャッシュサーバが蓄積するコンテンツのコンテンツリストとを入力し判別部１１７に出力する。
【００３４】
ここで、コンテンツリストの収集は、予め定められた時間間隔毎（定期的）に行っても良いし、携帯端末１７０から接続要求があったときに行っても良いし、あるいは、他のキャッシュサーバから収集要求があったとき等、所定のイベント発生時に行っても良い。
【００３５】
判別部１１７は、
携帯端末１７０の受信ＩＰアドレスと、
要求されたコンテンツのＵＲＬ等の情報と、
自装置上に蓄積するコンテンツのコンテンツリストと、
自装置以外のキャッシュサーバが蓄積するコンテンツのコンテンツリストと、
を入力し、
携帯端末１７０が要求するコンテンツを自装置で蓄積するか、他のキャッシュサーバが蓄積しているかを判別する。自キャッシュサーバで蓄積する場合、
コンテンツ一時蓄積部１１３と、
配信部１１４と、
に対して、読み出し・配信指示を出す。
【００３６】
一方、他のキャッシュサーバが蓄積する場合は、コンテンツ確保部１１２に対し、要求されたコンテンツのＵＲＬと、当該他キャシュサーバのＩＰアドレスを伝え、キャッシュサーバ間の連携により、当該他のキャッシュサーバから、コンテンツを確保するよう指示を出す。
【００３７】
なお、自キャッシュサーバも、自キャッシュサーバ以外の他のキャシュサーバのいずれも、要求されたコンテンツを蓄積していない場合、配信サーバ装置１２１からコンテンツを確保するようコンテンツ確保部１１２に、指示を出す。
【００３８】
コンテンツ確保部１１２は、判別部１１７から要求されたコンテンツのＵＲＬ、コンテンツ確保指示、他のキャッシュサーバの場合には、当該他のキャッシュサーバのＩＰアドレス、配信サーバ装置１２１の場合は、当該配信サーバ装置１２１のＩＰアドレスを入力し、要求されたコンテンツの複製を確保した上で、コンテンツ一時蓄積部１１３に出力する。コンテンツ一時蓄積部１１３で、当該コンテンツを蓄積する。
【００３９】
コンテンツ一時蓄積部１１３は、判別部１１７から、コンテンツ読み出し指示を入力すると、要求されたコンテンツのＵＲＬに、該当するコンテンツファイルを読み出し、配信部１１４に出力する。
【００４０】
コンテンツリスト作成部１１８は、コンテンツ一時蓄積部１１３が蓄積している全てのコンテンツのリストを随時作成しておき、
予め定められた時間間隔毎に、又は、
他のキャッシュサーバから要求があったときに、又は、
収集部１１６から要求があったときに、
コンテンツリストを出力する。
【００４１】
配信部１１４は、
要求されたコンテンツのＵＲＬ情報を解析部１１５から入力し、
判別部１１７からコンテンツの配信指示を入力し、
要求されたコンテンツのファイルを、コンテンツ一時蓄積部１１３から入力し、
予め定められたプロトコル（例えばＴＣＰ（Transmission Control Protocol））のパケットを生成し、ｘＧＳＮ装置に送出し、ｘＧＳＮ装置を介して前記携帯端末１７０に配信する。
【００４２】
以上で第１の実施の形態の説明を終えるが、種々の変形が可能である。図１では、一つのｘＧＳＮ装置に対し一つのキャッシュサーバを接続させる場合の構成を示したが、複数のｘＧＳＮ装置に対し一つのキャッシュサーバを接続させる構成をとることもできるし、一つのｘＧＳＮ装置に対し、複数のキャッシュサーバを接続させる構成とすることもできる。
【００４３】
配信サーバ装置１２１が、キャッシュサーバ装置１１０＿１〜１１０＿Ｎと接続する構成をとることもできる。
【００４４】
さらに、図１では、ＳＧＳＮ装置とＧＧＳＮ装置を一体化したｘＧＳＮ装置を用いる構成としたが、ＳＧＳＮ装置とＧＧＳＮ装置を分離した構成をとることもできる。この構成の場合、ＳＧＳＮ装置、又はＧＧＳＮ装置のいずれかにキャッシュサーバを少なくとも１台、接続する構成をとることができる。
【００４５】
また、携帯端末１７０は、携帯電話でもよいし、スマートフォンでもよいし、あるいはタブレットでもよいし、ＰＣ（パソコン）にデータ通信カードを搭載したものでもよいし、さらに、モバイル３Ｇ網（第３世代移動通信網）と通信ができる端末であれば、他のいかなる端末をも使用することが出来る。
【００４６】
＜実施形態１の変形例＞
図３は、第１の実施形態の変形例を示す図である。この変形例では、図１のキャッシュサーバ１１０＿１〜１１０＿Ｎのかわりに、プロキシサーバ１２０＿１〜１２０＿Ｎを備えている。図３において、図１と同じ番号を付した構成要素は図１と同じ動作をするので説明は省略する。
【００４７】
ここで、プロキシサーバ１２０＿１には、透過型と完全透過型の２種の形態が考えられる。透過型の場合、携帯端末１７０からのメッセージ信号をプロキシサーバで一旦終端し、メッセージ信号を解析する。プロキシサーバで一時蓄積しているコンテンツに対しては、プロキシサーバから携帯端末１７０に配信する。必要があれば、プロキシサーバがｘＧＳＮ装置経由で配信サーバ１２１に対し要求やアクセスを行う。
【００４８】
一方、完全透過型の場合には、プロキシサーバは、携帯端末１７０からの信号を終端せずに、ＤＰＩ（Deep Packet Inspection）技術（インターネット利用者とサーバ間でやりとりされるパケットの制御情報を第三者が検査する）を用いて、パケットのヘッダ部等をチェックし、要求されたコンテンツのＵＲＬや携帯端末１７０のＩＰアドレス等の情報を抽出し、要求されたコンテンツがプロキシサーバにキャッシュされている場合は、プロキシサーバがｘＧＳＮ装置経由で配信サーバ１２１に対して配信停止の指示を出した上で、要求されたコンテンツをプロキシサーバから配信する。
【００４９】
なお、プロキシサーバの構成（本発明の主題に関連する主要部）は、図２のキャッシュサーバの構成と同一構成とされるため、その説明は省略する。
【００５０】
＜実施形態２＞
次に、第２の実施の形態について図４を用いて説明する。図４は、モバイルネットワーク２５０として、図１に示した３Ｇモバイルネットワーク１５０ではなく、３．９世代のモバイル網であるＬＴＥ（Long Term Evolution）／ＥＰＣ（Evolved Packet Core）ネットワーク２５０を使用する構成を示している。
【００５１】
ＬＴＥでは基地局装置とＲＮＣ装置の機能が縮退し、ｅＮｏｄｅＢ装置のみとなる。また、ＥＰＣではＳ／Ｐ−ＧＷ（Ｓｅｒｖｉｎｇ／Ｐａｃｋｅｔ  Ｄａｔａ−ＧａｔｅＷａｙ）装置がｅＮｏｄｅＢ（evolved NodeB）装置に接続される。ここで、Ｓ／Ｐ−ＧＷ(Serving Packet data network gateway)装置は、Ｓ−ＧＷ(Serving-Gateway)装置とＰ−ＧＷ(Packet data network gateway)装置が一体化された構成である。
【００５２】
また、図４では、Ｍ台のｅＮｏｄｅＢ装置が１台のＳ／Ｐ−ＧＷ装置に接続される構成を示している。例えば、Ｓ／Ｐ−ＧＷ装置２９０＿１にはｅＮｏｄｅＢ装置２６０＿１〜２６０＿Ｍが接続されている。
【００５３】
図４の例では、Ｓ／Ｐ−ＧＷ装置２９０＿１〜２９０＿Ｎの各々に対して、１台のキャッシュサーバ４１０が接続されている。例えばＳ／Ｐ−ＧＷ装置２９０＿１にはキャッシュサーバ４１０＿１が接続されている。キャッシュサーバ同士は、コンテンツを連携できるよう接続されている（一のキャッシュサーバは他のキャッシュサーバの蓄積部に蓄積されているコンテンンツを確保して配信することが可能である）。
【００５４】
携帯端末１７０は、配信サーバ装置１２１のＩＰアドレスを指定して配信の接続要求メッセージを発すると、在圏しているｅＮｏｄｅＢ装置（図４では、２６１＿１〜２６１＿Ｍのいずれか）が、前記接続要求メッセージを受信する。
【００５５】
ｅＮｏｄｅＢ装置２６１＿１〜２６１Ｍのいずれかは、前記接続要求メッセージを受信すると、ＧＴＰプロトコルのペイロード部分に、前記接続要求メッセージと前記配信サーバのＩＰアドレス、前記携帯端末のＩＰアドレス等を格納し、Ｓ／Ｐ−ＧＷ装置に対しＧＴＰパケットを転送する。
【００５６】
キャッシュサーバ４１０＿１は、図２に示した構成と同じ構成であるが、本実施形態では、図２において、制御信号送受信部１１１の接続先が、Ｓ／Ｐ−ＧＷ装置２９０＿１となる。
【００５７】
携帯端末１７０からの接続要求メッセージと、
ＩＰアドレス等を格納したＧＴＰパケットと、
携帯端末１７０のロケーション情報と、
をＳ／Ｐ−ＧＷ装置２９０＿１から受信する。なお、他のキャッシュサーバ４１０＿２〜４１０＿Ｎについても、同様とされ、それぞれに接続されるＳ／Ｐ−ＧＷ装置２９０＿２〜２９０＿Ｎと上記のやりとりを行う。
【００５８】
以上で、第３の実施の形態の説明を終えるが、種々の変形が可能である。図４では、Ｓ−ＧＷ装置とＰ−ＧＷ装置を一体化したＳ／Ｐ−ＧＷ装置を用いる構成としたが、Ｓ−ＧＷ装置とＰ−ＧＷ装置とを分離した構成をとることもできる。この構成の場合は、Ｓ−ＧＷ装置又はＰ−ＧＷ装置のいずれかに、キャッシュサーバを少なくとも１台、接続する構成をとることができる。
【００５９】
また、携帯端末１７０は、携帯電話でもよいし、スマートフォンでもよいし、ＰＣにデータ通信カードを搭載したものでもよいし、さらに、モバイル３．９Ｇ網と通信ができる端末であれば、他のいかなる端末をも使用することが出来る。
【００６０】
＜実施形態２の変形例＞
図５は、第２の実施形態の変形例を示す図である。この変形例では、図４のキャッシュサーバ４１０＿１〜４１０＿Ｎのかわりに、プロキシサーバ１２０＿１〜１２０＿Ｎを備えている。図５において、図４と同じ番号を付した構成要素は図１と同じ動作をするので説明は省略する。この変形例において、プロキシサーバについては、図３を参照して説明したものと同一の構成とされるため、説明は省略する。
【００６１】
＜作用効果＞
本実施形態によれば、以下の作用効果を奏する。
【００６２】
（１）インターネット上のコンテンツに対し、キャッシュサーバ又はプロキシサーバが前記コンテンツの複製を一時蓄積し、自装置（キャッシュサーバ又はプロキシサーバ）が蓄積するコンテンツリスト、及び自装置以外が蓄積するコンテンツリストを収集する。そして、前記端末が要求したコンテンツに対し、キャッシュサーバ間の連携又はプロキシサーバ間の連携を考慮した上で要求されたコンテンツを有するキャッシュサーバ又はプロキシサーバを判別する。さらに、判別されたキャッシュサーバ又はプロキシサーバから要求されたコンテンツを読み出して配信する。こうすることにより、ネットワーク上のトラヒックを削減し、人気コンテンツへのアクセスの集中によるトラヒックを削減しネットワークの輻輳を防ぐことができるという効果がある。
【００６３】
（２）トラヒックを削減することにより、端末で映像などを再生するまでの遅延を短く抑え、端末で再生している映像が停止することなく、ユーザのＱｏＥ（Quality of Experience）を良好に保つことができるという効果を奏する。
【００６４】
さらに上記（１）の効果は、端末を一切改造する必要がなく得られる。
【００６５】
＜特許文献１との対比＞
上記特許文献１には、移動ノードが第1サブネットから第2サブネットにする場合に、ストリーミングを継続実施することができる構成として、第1キャッシンッグプロキシから第2キャッシングプロキシへストリーミングコンテンツを引き渡すための構成が開示されている。これに対して、本発明によれば、端末から要求されたコンテンツを配信するさいに、複数のキャッシュサーバ又は複数のプロキシサーバが連携して要求されたコンテンツを確保するために、自身以外のキャッシュサーバ又はプロキシサーバが蓄積するコンテンツリストを収集する収集部と、端末からのコンテンツ要求メッセージに含まれる情報と前記収集部の出力信号を用い要求されたコンテンツを有するキャッシュサーバ又はプロキシサーバを判別する判別部と、前記判別されたキャッシュサーバ又はプロキシサーバから要求されたコンテンツのファイル又はストリームをキャッシュサーバ間の連携又はプロキシサーバ間の連携を考慮して読み出す確保部と、前記読み出したファイル又はストリームを予め定められたプロトコルにより出力する配信部とを有するキャッシュサーバ又はプロキシサーバの構成を開示しており、上記特許文献１の発明とは目的及び構成が全く相違している。
【００６６】
なお、上記の特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【００６７】
上記実施形態の一部又は全部は以下の付記のようにも記載されるが、以下には限られない。
【００６８】
（付記１）
モバイルネットワーク上に複数のサーバを備え、
前記サーバは、
キャッシュサーバ又はプロキシサーバとして機能し、
インターネット上でコンテンツを配信する配信サーバが保有するコンテンツの少なくとも一部に対して、前記コンテンツの複製を一時的に蓄積する蓄積部と、
前記蓄積部が蓄積するコンテンツのリストを作成するコンテンツリスト作成部と、
前記コンテンツリスト作成部で作成された、自サーバの前記蓄積部が蓄積する前記コンテンツリストと、前記複数のサーバのうちの自サーバ以外のサーバが蓄積するコンテンツリストと、を収集する収集部と、
端末から前記モバイルネットワークを介して送信されたコンテンツ要求メッセージに含まれる情報と、前記収集部で収集されたコンテンツリストとを用いて、前記端末から要求されたコンテンツを前記蓄積部に有するサーバを判別する判別部と、
前記判別部で判別されたサーバから、前記端末から要求されたコンテンツのファイル又はストリームを、サーバ間の連携により自サーバに読み出す確保部と、
前記読み出したファイル又はストリームを予め定められたプロトコルにより出力する配信部と、
を備えた、ことを特徴とする配信ネットワークシステム。
【００６９】
（付記２）
前記判別の結果、前記端末から要求されたコンテンツを前記蓄積部に蓄積するサーバが、自サーバである場合には、前記判別部は、前記蓄積部と、前記配信部に対して、読み出し・配信指示を出し、
前記端末から要求されたコンテンツを他のサーバが蓄積する場合には、前記判別部は、前記確保部に対して、前記端末から要求されたコンテンツのＵＲＬ（Ｕｎｉｆｏｒｍ  Ｒｅｓｏｕｒｃｅ  Ｌｏｃａｔｏｒ）と、前記他のサーバのＩＰアドレスを伝え、前記他のサーバから、コンテンツを確保するように指示を出し、前記確保部は、前記他のサーバから確保した前記要求されたコンテンツの複製を前記蓄積部に蓄積し、
前記自サーバと他のサーバのいずれも、前記端末から要求されたコンテンツを蓄積していない場合には、前記判別部は、前記確保部に対して、前記端末から要求されたコンテンツのＵＲＬと、前記配信サーバのＩＰアドレスを伝え、前記配信サーバからコンテンツを確保するように指示を出し、前記確保部は、前記配信サーバから確保した、前記要求されたコンテンツの複製を前記蓄積部に蓄積する、ことを特徴とする付記１記載の配信ネットワークシステム。
【００７０】
（付記３）
前記コンテンツは、動画、静止画、音声、オーディオ、ソフトウェア、アプリケーション、データの少なくとも１つを含む、ことを特徴とする付記１又は２記載の配信ネットワークシステム。
【００７１】
（付記４）
前記サーバは、
サービングＧＰＲＳ（Ｇｅｎｅｒａｌ  Ｐａｃｋｅｔ  Ｒａｄｉｏ  Ｓｅｒｖｉｃｅ）サポートノード（ＳＧＳＮ）、
ゲートウエイＧＰＲＳサポートノード（ＧＧＳＮ）、
サービングＧＰＲＳサポートノード（ＳＧＳＮ）とゲートウエイＧＰＲＳサポートノード（ＧＧＳＮ）を１つに統合したノード、
サービングゲートウエイ（Ｓ−ＧＷ）、
パケットデータネットワークゲートウエイ（Ｐ−ＧＷ）、
サービングゲートウエイ（Ｓ−ＧＷ）とパケットデータネットワークゲートウエイ（Ｐ−ＧＷ）を１つに統合したノード、
のいずれかのノード、
又は、
前記配信サーバに接続される、付記１乃至３のいずれか一に記載の配信ネットワークシステム。
【００７２】
（付記５）
１台の前記サーバが１台の前記ノードに対して１：１で接続されるか、
１台の前記サーバが複数台（Ｎ台）の前記ノードに対して１：Ｎで接続される、付記４記載の配信ネットワークシステム。
【００７３】
（付記６）
モバイルネットワークに接続されるネットワークノードにそれぞれ接続され、キャッシュサーバ又はプロキシサーバとして機能するサーバであって、
インターネット上でコンテンツを配信する配信サーバが保有するコンテンツの少なくとも一部に対し、前記コンテンツの複製を一時的に蓄積する蓄積部と、
前記蓄積部が蓄積するコンテンツのリストを作成するコンテンツリスト作成部と、
自サーバで蓄積するコンテンツリストと、自サーバ以外のサーバが蓄積するコンテンツリストを収集する収集部と、
端末からのコンテンツ要求メッセージに含まれる情報と、前記収集部で収集されたコンテンツリストを用い、前記端末から要求されたコンテンツを有するサーバを判別する判別部と、
前記判別されたサーバから、前記端末から要求されたコンテンツのファイル又はストリームを、サーバ間の連携により読み出す確保部と、
前記読み出したファイル又はストリームを予め定められたプロトコルにより出力する配信部と、
を備えた、ことを特徴とするサーバ。
【００７４】
（付記７）
前記判別の結果、前記端末から要求されたコンテンツを前記蓄積部に蓄積するサーバが、自サーバである場合には、前記判別部は、前記蓄積部と、前記配信部に対して、読み出し・配信指示を出し、
前記端末から要求されたコンテンツを他のサーバが蓄積する場合には、前記判別部は、前記確保部に対して、前記端末から要求されたコンテンツのＵＲＬ（Ｕｎｉｆｏｒｍ  Ｒｅｓｏｕｒｃｅ  Ｌｏｃａｔｏｒ）と、前記他のサーバのＩＰアドレスを伝え、前記他のサーバから、コンテンツを確保するように指示を出し、前記確保部は、前記他のサーバから確保した前記要求されたコンテンツの複製を前記蓄積部に蓄積し、
前記自サーバと他のサーバのいずれも、前記端末から要求されたコンテンツを蓄積していない場合には、前記判別部は、前記確保部に対して、前記端末から要求されたコンテンツのＵＲＬと、前記配信サーバのＩＰアドレスを伝え、前記配信サーバからコンテンツを確保するように指示を出し、前記確保部は、前記配信サーバから確保した、前記要求されたコンテンツの複製を前記蓄積部に蓄積する、ことを特徴とする付記６記載のサーバ。
【００７５】
（付記８）
前記コンテンツは、動画、静止画、音声、オーディオ、ソフトウェア、アプリケーション、データの少なくとも１つを含む、ことを特徴とする付記６記載のサーバ。
【００７６】
（付記９）
前記ネットワークノードは、サービングＧＰＲＳ（Ｇｅｎｅｒａｌ  Ｐａｃｋｅｔ  Ｒａｄｉｏ  Ｓｅｒｖｉｃｅ）サポートノード（ＳＧＳＮ）、
ゲートウエイＧＰＲＳサポートノード（ＧＧＳＮ）、
サービングＧＰＲＳサポートノード（ＳＧＳＮ）とゲートウエイＧＰＲＳサポートノード（ＧＧＳＮ）を１つに統合したノード、
サービングゲートウエイ（Ｓ−ＧＷ）、
パケットデータネットワークゲートウエイ（Ｐ−ＧＷ）、
サービングゲートウエイ（Ｓ−ＧＷ）とパケットデータネットワークゲートウエイ（Ｐ−ＧＷ）を１つに統合したノード、
のいずれかのノード、又は、
前記配信サーバ
のいずれかを含む、付記６乃至８のいずれか一に記載のサーバ。
【００７７】
（付記１０）
１台の前記サーバが１台の前記ノードに対して１：１で接続されるか、
１台の前記サーバが複数台（Ｎ台）の前記ノードに対して１：Ｎで接続される、付記９記載のサーバ。
【００７８】
（付記１１）
モバイルネットワーク上に複数台以上設けられ、キャッシュサーバ又はプロキシサーバとして機能するサーバが、
インターネット上でコンテンツを配信する配信サーバが保有するコンテンツの少なくとも一部に対し、前記コンテンツの複製を蓄積部に一時的に蓄積し、
前記蓄積するコンテンツのリストを作成し、
自サーバで蓄積するコンテンツリストと、前記複数のサーバのうち自サーバ以外のサーバで蓄積するコンテンツリストを収集し、
端末からのコンテンツ要求メッセージに含まれる情報と、前記コンテンツリストを用い要求されたコンテンツを有するサーバを判別し、
前記判別されたサーバから、要求されたコンテンツのファイル又はストリームを、サーバ間の連携により読み出し、
前記読み出したファイル又はストリームを、予め定められたプロトコルにより出力して配信する、ことを特徴とする配信方法。
【００７９】
（付記１２）
前記判別の結果、前記端末から要求されたコンテンツを蓄積するサーバが、自サーバである場合には、前記蓄積部からの読み出し・配信指示を出し、
前記端末から要求されたコンテンツを他のサーバが蓄積する場合には、前記端末から要求されたコンテンツのＵＲＬ（Ｕｎｉｆｏｒｍ  Ｒｅｓｏｕｒｃｅ  Ｌｏｃａｔｏｒ）と、前記他のサーバのＩＰアドレスに基づき、前記他のサーバから、前記コンテンツを確保するように指示を出し、前記他のサーバから確保した前記要求されたコンテンツの複製を前記蓄積部に蓄積し、
前記自サーバと他のサーバのいずれも、前記端末から要求されたコンテンツを蓄積していない場合には、前記端末から要求されたコンテンツのＵＲＬと、前記配信サーバのＩＰアドレスに基づき、前記配信サーバからコンテンツを確保するように指示を出し、前記確保部は、前記配信サーバから確保した、前記要求されたコンテンツの複製を前記蓄積部に蓄積する、ことを特徴とする付記１１記載の配信方法。
【００８０】
（付記１３）
前記コンテンツは、動画、静止画、音声、オーディオ、ソフトウェア、アプリケーション、データの少なくとも１つを含む、ことを特徴とする付記１１又は１２記載の配信方法。
【００８１】
（付記１４）
前記サーバは、
サービングＧＰＲＳ（Ｇｅｎｅｒａｌ  Ｐａｃｋｅｔ  Ｒａｄｉｏ  Ｓｅｒｖｉｃｅ）サポートノード（ＳＧＳＮ）、
ゲートウエイＧＰＲＳサポートノード（ＧＧＳＮ）、
サービングＧＰＲＳサポートノード（ＳＧＳＮ）とゲートウエイＧＰＲＳサポートノード（ＧＧＳＮ）を１つに統合したノード、
サービングゲートウエイ（Ｓ−ＧＷ）、
パケットデータネットワークゲートウエイ（Ｐ−ＧＷ）、
サービングゲートウエイ（Ｓ−ＧＷ）とパケットデータネットワークゲートウエイ（Ｐ−ＧＷ）を１つに統合したノード、
のいずれかのノード、又は
前記配信サーバ
に接続される、付記１１乃至１３のいずれか一に記載の配信方法。
【００８２】
（付記１５）
１台の前記サーバが１台の前記ノードに対して１：１で接続されるか、
１台の前記サーバが複数台（Ｎ台）の前記ノードに対して１：Ｎで接続される、付記１４記載の配信方法。
【符号の説明】
【００８３】
１１０＿１〜１１０＿Ｎ、４１０＿１〜４１０＿Ｎ    キャッシュサーバ
１１１  制御信号送受信部
１１２  コンテンツ確保部
１１３  コンテンツ一時蓄積部
１１４  配信部
１１５  解析部
１１６  収集部
１１７  判別部
１１８  コンテンツリスト作成部
１２０＿１〜１２０＿Ｎ  プロキシサーバ
１２１  配信サーバ
１４５  インターネット網
１５０  モバイルネットワーク
１７０  携帯端末
１８０＿１〜１８０＿Ｍ、１８１＿１〜１８１＿Ｍ、１８２＿１〜１８２＿Ｍ、１８３＿１〜１８３＿Ｍ  基地局装置
１９０＿１〜１９０＿Ｎ  ｘＧＳＮ装置
１９５＿１〜１９５＿Ｌ、１９７＿１〜１９７＿Ｌ  ＲＮＣ装置
２５０  モバイルＬＴＥ／ＥＰＣネットワーク
２６０＿１〜２６０＿Ｍ、２６１＿１〜２６１＿Ｍ、２６２＿１〜２６２＿Ｍ  ｅＮｏｄｅＢ装置
２９０＿１〜２９０＿Ｎ  Ｓ／Ｐ−ＧＷ装置
【図２】
2013048327.tif 000003
【図４】
2013048327.tif 000004
【図５】
2013048327.tif 000005
【図１】
2013048327.tif 000006
【図３】
2013048327.tif 000007